(57)【特許請求の範囲】
【請求項１】
パルスデトネーション装置（１０）であって、当該パルスデトネーション装置（１０）が、
燃料と空気の混合物を燃焼して燃焼ガスのフローを生成する少なくとも１つのデトネーションチャンバ（１２）であって、中心線（ＣＬ）を有する少なくとも１つのデトネーションチャンバ（１２）と、
前記燃焼ガスが前記チャンバ（１２）の入口領域内に逆流するのを阻止する、環形として形成された一定の幾何形状のフローセパレータ（１４）と
を備えており、
前記幾何形状が前記混合物の燃焼中に不変であり、
前記一定の幾何形状のフローセパレータ（１４）が、前記逆流を、該一定の幾何形状のフローセパレータ（１４）の径方向外側に位置し、逆流を収束させる環形の制御領域（１６）と、該一定の幾何形状のフローセパレータ（１４）の径方向内側に位置し、逆流を発散させる１次領域（１８）へと分割して、制御領域（１６）で収束する逆流（Ｆｏ）が１次領域（１８）で発散する逆流（Ｆｉ）よりも高い流速を有しており、制御領域（１６）で収束する逆流（Ｆｏ）が、該一定の幾何形状のフローセパレータ（１４）の上流で、１次領域（１８）の発散する逆流（Ｆｉ）と混合しかつその進行を妨げる、
パルスデトネーション装置。
【請求項２】
前記制御領域（１６）が、前記制御領域の逆流（Ｆｏ）を、前記１次領域の逆流（Ｆｉ）に対してある角度で前記１次領域の逆流（Ｆｉ）に流れ込むように向ける、請求項１記載のパルスデトネーション装置（１０）。
【請求項３】
前記制御領域（１６）の横断面積が、下流側端部から上流側端部に向かって減少する、請求項２記載のパルスデトネーション装置（１０）。
【請求項４】
前記１次領域（１８）の横断面積が、下流側端部から上流側端部に向かって増加する、請求項２記載のパルスデトネーション装置（１０）。
【請求項５】
前記１次領域の逆流（Ｆｉ）が、前記フローセパレータ（１４）の上流に配置された上流側チャンバ部分（２０）に向けられる、請求項２記載のパルスデトネーション装置（１０）。
【請求項６】
前記チャンバが、少なくとも１つの１次フロー入口（２５）を備え、そこを介して燃料及び空気と、混合気とのいずれかが前記チャンバに入り込む、請求項１記載のパルスデトネーション装置（１０）。
【請求項７】
複数の旋回羽根（２９）が前記少なくとも１つの１次フロー入口（２５）内に配置され、前記旋回羽根（２９）が、前記燃料及び空気と、混合気とのいずれかに接線方向の運動量を付与する、請求項６記載のパルスデトネーション装置（１０）。
【請求項８】
前記フローセパレータ（１４）の全部分が前記チャンバ（１２）内にある、請求項１記載のパルスデトネーション装置（１０）。
【請求項９】
前記フローセパレータ（１４）が、前記少なくとも１つの１次フロー入口（２５）の開口部を越えて延びる前縁側リップ部分（４６）を備えて、前記制御領域（１６）を通過する前記燃料及び空気と、混合気とのいずれかの少なくとも一部を前記制御フローと反対方向に向ける、請求項６記載のパルスデトネーション装置（１０）。
【請求項１０】
前記フローセパレータ（１４）が、前記チャンバ（１２）の中心線に対して径方向に配置された環形として形成される、請求項１記載のパルスデトネーション装置（１０）。
【発明の詳細な説明】
【技術分野】
【０００１】
本発明は、逆伝搬する圧力波の強さを減少させる一方、順方向圧の損失に対する影響が無視できる程度である、受動装置に関する。
【背景技術】
【０００２】
既存のパルスデトネーション装置では、デトネーションが起こるたびに衝撃波が生成される。この衝撃波は、下流に伝搬してスラストを生成し、かつ装置の吸気口に向かって上流にも伝搬する。これらの衝撃波が上流に伝搬することで、パルスデトネーション装置の動作に不利益な影響が起こり得る。具体的には、バルブレスシステムでは、衝撃波が、装置内に空気及び／又は燃料を供給するフロー入口に入り込むことがあり、その結果、この構造内に高圧力スパイクを生じさせ、それが内部の部品に損傷を与えるか、あるいは最適な動作を妨げる恐れがある。
【０００３】
強い圧力波の伝搬を防ぐために、機械的なバルブを備えたシステムなど、いくつかの方法が検討されてきた。しかし、そうしたシステムは多数の可動部を必要とし、そのため、これらのシステムのコスト及び複雑さが増大する。さらに、バルブシステムが存在することで、デトネーション装置の動作信頼性が低下する。
【特許文献１】米国特許第６４８４４９２号公報
【発明の開示】
【発明が解決しようとする課題】
【０００４】
したがって、追加の可動部又は複雑なシステムを一切必要とせず、かつ強い圧力波の逆流を減少させる、パルスデトネーション(及び類似の)装置で使用することができるシステム又は構成が望ましい。
【課題を解決するための手段】
【０００５】
本発明の一実施形態では、パルスデトネーション装置のデトネーションチャンバは、制御領域及び１次領域から構成される。上流に伝搬する圧力波は、これら２つの領域に分割される。制御領域は、圧力波が１次領域を通って伝搬する前に、制御領域に入り込む圧力波の部分が加速されるように構成され作成される。さらに、制御領域を通過する圧力波の部分は、１次領域を通過する逆流に対して向けられる高速フローを形成できるように、方向が変えられ、運ばれる。これら２つのフローが混合されることで、１次部分を通過する逆流の進行が妨げられ、フローの方向が変えられ、その結果、圧力波がさらに上流に伝搬するのが妨げられる。圧力波が装置内で上流に移動することを防ぎ、そのサイズ又は大きさを縮小し、またフローの方向を変えることによって、システムの動作上の完全性及び耐用期間が増加する。さらに、この種の受動的な弁調節により、パルスデトネーション装置の正味のスラストが増加する。
【０００６】
本明細書で使用されるとき、「パルスデトネーションチャンバ」（又は「ＰＤ」チャンバ）は、装置内における一連の反復するデトネーション又は擬似デトネーション（quasi-detonation）により、予備燃焼させた反応物と比べて燃焼生成物の圧力が上昇し、またそれに伴って加速が生じる、あらゆる燃焼装置又はシステムを意味するものと理解される。「疑似デトネーション」は、爆燃波によって生じる圧力上昇よりも高い圧力上昇及び速度の増加を生み出す燃焼プロセスである。ＰＤチャンバの一般的な実施形態としては、燃料／酸化剤混合物、例えば混合気に点火する手段及び、点火プロセスによって生じた圧力波面が中で融合してデトネーション波を生成する閉じ込めチャンバが挙げられる。デトネーション又は擬似デトネーションはそれぞれ、火花放電やレーザパルスなどの外部点火によって、又は衝撃フォーカシング（shock focusing）、自己点火などのガスダイナミックプロセスによって、あるいはクロスファイアリングによる別のデトネーションによって生じる。デトネーションチャンバの幾何形状は、デトネーション波の圧力上昇によって燃焼生成物がＰＤチャンバの排気に放出されて、スラスト力を生み出すような形状である。当業者には知られているように、パルスデトネーションは、デトネーション管、衝撃波管、共振性デトネーションキャビティ及び環状のデトネーションチャンバを含む、多くのタイプのデトネーションチャンバで実施されてもよい。
【０００７】
本発明の利点、本質及び様々な追加の特徴は、図面に概略的に示される本発明の例示的な実施形態を考察することで、さらに十分に明らかになるであろう。
【発明を実施するための最良の形態】
【０００８】
本発明は、添付の図面を参照することによってさらに詳細に説明されるが、それら図面は本発明の範囲をいかなる形でも限定しない。
【０００９】
図１は、パルスデトネーション装置１０の一部分の横断側面図であって、この装置は、装置１０のデトネーションチャンバ１２を１次領域１８と制御領域１６に分割する、一定の幾何形状のフローセパレータ１４を含む。図２は、本発明の別の実施形態による、図１に示される装置１０に類似したパルスデトネーション装置１０の一部分の横断側面図である。図３は、パルスデトネーション装置３０の代替実施形態の一部分の横断側面図である。
【００１０】
ここで図１を参照すると、パルスデトネーション装置１０の例示的な一実施形態が示される。装置１０内では、混合気はデトネーションチャンバ１２内で爆轟されるが、このデトネーションチャンバ１２は、一定幾何形状のフローセパレータ１４及び上流側チャンバ部分２０の両方の下流に位置する。デトネーションの結果、上流と下流の両方に伝搬する強い圧力波及び高速フローが生成される。下流に伝搬する圧力波及びフローは、最終的には装置１０を出て、その結果スラストを生成する。上流に伝搬する圧力波及びフローは、フローセパレータ１４に衝突し、それが圧力波の一部を制御領域１６に対して向け、また圧力波の一部をチャンバ１２の１次領域１８に対して向ける。
【００１１】
３次元的な装置１０において、フローセパレータ１４はチャンバ１２内の環形構造として形成されるので、外側の制御領域１６はフローセパレータ１４から径方向外側の位置に形成され、内側の１次領域１８はセパレータ１４から径方向内側の位置に形成される。さらに、制御領域１６は上流方向に向かって収束するように形成されるが、１次領域１８は上流方向に向かって発散する。
【００１２】
また、セパレータ１４は受動型なので、デトネーションプロセスの間、一定の幾何形状を維持する。そのため、構造を複雑にする可動部又は部品を有さない。セパレータ１４は、一定の幾何形状の構成によってフローを案内するように働く。
【００１３】
動作中、強い圧力波はフローセパレータ１４の下流側縁部に衝突し、そこで圧力波が制御フローＦｏと１次フローＦｉに分割される。制御領域１６は収束形に形成されるので、制御フローＦｏが上流に移動すると共に、圧力波の後ろの圧力は増加する。この圧力の増加により、圧力波及びフローが制御領域１６を介して加速される。さらに、１次領域１８は上流方向に向かって発散するので、１次フローＦｉにおける圧力波の後ろの圧力は減少し、それによって１次領域１８を伝搬する圧力波が減速される。
【００１４】
１次フローＦｉと制御フローＦｏに速度差があるため、制御フローＦｏの圧力波は、１次フローＦｉの対応する圧力波よりも先に加速される。その後、フロー案内部分２６とフローセパレータ１４の上流側縁部との形状のため、制御フローＦｏは装置１０の中心線ＣＬの方に向けられ、それによって、１次領域１８からのフローに対する制御領域１６からの噴流が作られる。
【００１５】
制御フローＦｏは、１次フローＦｉのフロー方向に対してある角度で制御領域１６を出る。この構成のため、制御フローＦｏは、１次フローＦｉと混合するだけでなく、１次フローＦｉに対する障壁を作ってその強さを低減させ、その上流への進行を妨げ、かつ１次フローの方向を変える。そのような構成によってチャンバ１２内での逆流が妨げられ、それが、２次フロー入口２２及び１次フロー入口２５への逆流を防ぐか、又はその妨げとなる。
【００１６】
燃料、空気及び／又は混合気は、デトネーションの前に、上流側チャンバ２４からフロー入口２２及び１次フロー入口２５を介してチャンバ１２に注入される。フロー入口２２及び１次フロー入口２５を介してフローを提供するのに使用される構造及びシステムは、デトネーションの結果生じる上流に移動する圧力波の悪影響である、高くかつ頻繁な圧力上昇に敏感なことがある。本発明のフローセパレータ１４は、この逆流を緩和するように働き、その結果、これらの部品及びシステムに対する応力が低減される。さらにこれは、可動部を有さないが、制御領域１６、フローセパレータ１４及び１次領域１８からなる構成によって達成される。
【００１７】
また、制御領域１６、１次領域１８及びフローセパレータ１４からなる構成は、下流へのフローを最大限に（圧力損失を最小限に）すると同時に上流へのフローを最小限に（圧力損失を最大限に）できるように最適化される。したがって、この構成はフローダイオードとして働く。より具体的には、この装置は圧力の過渡変化に影響するので、装置はフロー誘導コイル（flow induction coil）により近い。換言すると、この装置は、過渡的なダイオード効果を提供して、圧力パルスの間の逆流に対して高いインピーダンスを与える。ただし、装置は、より低圧の逆流の間に、逆流に対してより低いレベルのインピーダンスを与えてもよい。すなわち、高圧パルスの間には高いインピーダンスを与えるが、逆流が定常状態の間にはより低いインピーダンスを与える。
【００１８】
補充の間、混合気は１次フロー入口２５及び２次フロー入口２２を介してチャンバ１２に注入される。フロー入口２２は、上流側チャンバ部分２０の中に配置されており、追加の冷気を提供して、熱い残留気体の関連する領域をパージするためのものである。ただし、追加の実施形態では、フロー入口２２はフロー案内部分２６の中に配置される。さらなる実施形態では、フロー入口２２はフローセパレータ１４の中に配置される。本発明では、フロー入口２２は、システム及び動作特性に基づいて必要に応じて配置されるものとする。例えば、図１に示すように、フロー入口２２は、上流側チャンバ部分２０とフローセパレータ１４の両方に配置される。フロー入口２２は、装置１０の動作上の要求に応じて、燃料、空気、又は混合気を注入する。
【００１９】
さらなる代替実施形態では、フロー入口２２は、補充プロセスの間に制御領域１６を洗い流すことができるように、フローセパレータ１４及び／又はフロー案内部分２６上に配置される。動作中、デトネーションによる圧力波及び圧力波の後ろのフローが制御領域１６を通過した後、２次フローは、制御領域１６を洗い流すためにフロー入口２２から制御領域１６に対して向けられる。追加の実施形態では、このフローは、洗い流す機能を提供することに加えて、フローセパレータ１４を冷却するために使用される。
【００２０】
さらなる実施形態では、マニホルド構造（図示せず）が、フローセパレータ１４及び／又はフロー案内部分２６に提供されて、動作中に部品を冷却する。
【００２１】
図２は、図１に示されるものに類似した装置１０の別の例示的な実施形態の一部分を示す。この実施形態では、フローセパレータは、リブ２８を用いて適所に固定される。リブ２８は、それらによる制御フローＦｏの妨害が最小限になるように成形される。
【００２２】
さらに、図２に示すように、本発明の追加の実施形態は１次フロー入口２５内に配置された旋回羽根２９を含む。旋回羽根２９は、１次フロー入口２５から来るフローに対して旋回又は回転を付与する。爆轟されたガスがチャンバ１２から除去されるパージ段階の間、旋回羽根２９は、１次フロー入口２５から入り込むフローに接線方向の運動量を付与する。そのような運動量は、フローセパレータ１４の周りでフローを回転させる助けとなり、結果生じる遠心力はフローがディバイダ１４を越えて広がるのを助け、その結果、圧力が回復し、均一なフローが提供される。さらなる実施形態では、回転もまた、制御領域１６を通って戻るフローの少なくとも一部を方向付ける助けとなって、次のデトネーションの前にこの領域をパージするのを助ける。さらに、追加の実施形態では、旋回羽根２９は、圧力波が１次フロー入口２５に入り込むのを防ぐ又は阻止するために、追加の衝撃波反射を提供するように構成され、角度が付けられる。
【００２３】
追加の実施形態では、フローセパレータのリップ部分４６は、フローセパレータ１４の上流側縁部に配置される。このリップ部分４６は、パージ／補充プロセスの間に制御領域１６を洗い流すことができるように、フローの一部を１次フロー入口２５から制御領域１６を通って戻るように方向付けるのに十分な量延びる。
【００２４】
上述したように、制御領域１６は、制御フローＦｏを１次フローＦｉに対してある角度でチャンバ１２に対して向ける。この角度は、装置の所望の動作特性に基づいて最適化される。一実施形態では、制御フローＦｏは、１次フローＦｉの角度に対して９０度未満の角度でチャンバに入り込む。追加の実施形態では、制御フローＦｏは、１次フローＦｉの角度に対して９０度の角度で、また１次フローＦｉの角度に対して９０度を越える角度でチャンバに入り込む。
【００２５】
さらに、フローセパレータの形状、サイズ及び配向は、それが使用される装置１０の動作パラメータ及び設計基準に基づいて最適化される。具体的には、フローセパレータ１４は、下流方向では圧力損失を最小限に抑えながら、上流のフローに高いインピーダンスを与えるように最適化される。これにより、セパレータ１４は、パージ及び補充プロセスの間、下流方向に最適なフローを提供すると共に、デトネーション後の逆流を阻止する又は防ぐ、フローダイオードとして働くことができる。この特性は、上流側チャンバ部分２０の近傍によどみ領域を生成する助けとなる。このよどみ領域は、フロー入口２２及び２５に対して高い圧力を生成し、それが次のデトネーションのためにチャンバ１２を洗い流す助けとなる。
【００２６】
また、さらなる非限定的な実施形態では、制御領域１６と１次領域１８の全体的な実効面積の比は、下流フロー及び上流フローのインピーダンスが最適化される所望のフローダイオード効果を提供するように最適化される。そのような構成では、衝撃の大きさが増加するにつれて、制御フローＦｏの有効な阻止能が増加する。換言すれば、逆流の大きさが増加すると、制御フローＦｏの大きさが増加し、その結果１次フローＦｉを妨げるかつ/又はその方向を変える、制御領域１６を出るフローの力が増加する。
【００２７】
図３は、本発明のさらなる非限定的かつ例示的な実施形態を示す。この実施形態では、パルスデトネーション装置３０は、１次フロー入口４４の出口と制御領域３６への出口とが、フローセパレータ３４の下流の位置に置かれる共通のチャネル４８を形成するように構成される。さらに、図に示すように、１次フローＦｉの直接流路内にフローセパレータ３４のごく一部があるか、又はその中にまったくないように、フローセパレータ３４が配置される。図１及び２に示した実施形態では、フローセパレータ１４は１次フローの経路内に配置されて、フローの一部の方向を制御領域１６に向ける。
【００２８】
図３の実施形態では、補充又はパージ段階の間、フローは図３に示すように左から右に流れる。環状の構成では、図示しないが環形のフローの制御部分に位置する旋回羽根が、フローに接線方向の運動量を付与する。これは、補充ガス又はパージガスがスロート部分５０を通った後に広がることができるようにする遠心力をもたらし、それによって圧力を回復させる。正流段階の間は１次領域３８を通り、制御領域３６はほぼ迂回されるが、十分な量のフローがこの領域に入り込むので、燃焼ガスが残っていてもパージされる。
【００２９】
この実施形態では、図３で右から左に移動する強い上流の圧力波がスロート位置５０に達すると、フローは１次フロー入口４４から僅かにそれる。圧力波は、上流に移動し続けて上流側チャンバ部分４０と接触し、また、フローの少なくとも一部分が制御領域３６に入り込む。圧力波は制御領域３６を通って移動し、それ自体の上に方向が変えられ、それによりフローの強さを減少させる。１次フロー入口４４の出口は、正流が妨げられずに進行できるようにしながら、あらゆる上流へのフローがその領域に入るのを妨げることができるように成形される。
【００３０】
制御フローＦｏは、制御領域３６を通過すると、１次フローＦｉに戻って１次フローＦｉの上流への流れを妨げるように向けられる。この実施形態は平坦面を有する上流側チャンバ部分４０を示すが、本発明はこの実施形態に限定されない。例えば、部分４０は、２つの収束形に形成してもよい。上流側チャンバ部分４０の形状は、上流方向でのフローの妨害を最大にすると同時に、パージ及び補充中には下流方向でのフロー抵抗がほとんどないように最適化される。
【００３１】
さらに、代替実施形態では、空気、燃料、又は混合気のフローは、１次フロー入口４４を介して、制御フローＦｏが１次フロー入口４４に入り込まないようにして供給される。さらに、制御フローＦｏが１次フロー入口４４を越えると、この入口からのフローは、共通のチャネル４８に入り込み始め、パージ及び補充プロセスが開始される。
【００３２】
さらに別の実施形態（図示せず）では、単一のフローデフレクタ１４及び上流側チャンバ部分２０は、複数のデトネーションチャンバ１２に結合される。この実施形態では、チャンバ１２からの衝撃波の一部は制御領域１６を通過し、残りの部分は１次領域を通過する。別の構成では、１つ又は複数のチャンバ１２からの衝撃波及びフローの全体が制御領域１６に入るように向けられ、それにより、これらのチャンバ１２からの逆流全体が制御フローＦｏとして用いられ、残りのチャンバ１２からのフロー全体は１次領域１８を通過する。この構成では、マニホルド構造を用いて個々のフローが必要に応じて方向付けられる。
【００３３】
本発明を様々な特定の実施形態の観点から記載してきたが、本発明を特許請求の範囲の趣旨及び範囲内で変更して実施できることが、当業者には理解されるであろう。
【図面の簡単な説明】
【００３４】
【図１】本発明の例示的な一実施形態による、強い圧力波の方向を変えるための無過給フロー制御装置の図である。
【図２】本発明の追加の例示的な実施形態による、強い圧力波の方向を変えるための無過給フロー制御装置の図である。
【図３】本発明の代替の例示的な実施形態による、強い圧力波の方向を変えるための無過給フロー制御装置の図である。
【符号の説明】
【００３５】
１０  パルスデトネーション装置
１２  デトネーションチャンバ
１４  フローセパレータ
１６  制御領域
１８  １次領域
２０  上流側チャンバ部分
２２  第２のフロー入口
２４  上流側チャンバ
２５  １次フロー入口
２６  フロー方向付け部分
２８  支持リブ
２９  旋回羽根
３０  パルスデトネーション装置
３２  デトネーションチャンバ
３４  フローセパレータ
３６  制御領域
３８  １次領域
４０  上流側チャンバ部分
４２  フロー入口
４４  １次フロー入口
４６  フローセパレータのリップ部分
４８  共通のチャネル
５０  スロート部分
【図１】
0004993442.tif 000002
【図２】
0004993442.tif 000003
【図３】
0004993442.tif 000004